(57)【要約】【課題】種々のサイズや厚さの用紙に対して円滑に搬送して読み取り可能な読取装置、複合処理装置及び読取方法を提供する。【解決手段】本発明の複合処理装置１は、スキャナヘッド２と、スキャナヘッドの読取位置を通過し、読取対象物を搬送するための複数の搬送経路１２及び特殊用紙搬送経路１３と、搬送経路１２及び特殊用紙搬送経路１３を切り換える紙経路切換機構９とを備えている。特殊用紙搬送経路１３は、スキャナヘッド２の読取位置を通過し、鉛直方向に延びるように形成されている。特殊用紙搬送経路１３の下方には位置決め部８が形成されている。【選択図】図１
2004064432.tif 000002
【特許請求の範囲】
【請求項１】
所定の読取対象物を読み取るスキャナヘッドと、
前記スキャナヘッドの読取位置を通過し、前記読取対象物を搬送するための複数の搬送経路と、
前記搬送経路を切り換える切換機構とを有することを特徴とする読取装置。
【請求項２】
前記搬送経路が、所定の特殊用紙を搬送するための直線状に延びる特殊用紙搬送経路を有することを特徴とする請求項１記載の読取装置。
【請求項３】
前記特殊用紙搬送経路が、鉛直方向に延びるように構成されていることを特徴とする請求項２記載の読取装置。
【請求項４】
前記特殊用紙搬送経路の所定の位置に位置決め部が設けられていることを特徴とする請求項１乃至３のいずれか１項記載の読取装置。
【請求項５】
前記特殊用紙搬送経路における前記特殊用紙の有無を検出する紙検出器を有することを特徴とする請求項４記載の読取装置。
【請求項６】
前記読取対象物に印字をする印字ヘッドと、
請求項１から５のいずれか１項に記載の読取装置とを有することを特徴とする複合処理装置。
【請求項７】
前記読取対象物に付された磁気情報を読み取る磁気ヘッドを有することを特徴とする請求項１から６のいずれか１項に記載の複合処理装置。
【請求項８】
請求項１乃至請求項５記載の読取装置を用いて前記特殊用紙を読み取る読取方法であって、
前記特殊用紙搬送経路における前記特殊用紙の有無を検出するステップと、
前記特殊用紙を検出した場合に前記特殊用紙の内容を読み取るステップと、
を有することを特徴とする読取方法。
【請求項９】
前記特殊用紙を検出した場合に前記特殊用紙に印字するステップをさらに有することを特徴とする請求項８記載の読取方法。
【発明の詳細な説明】
【０００１】
【発明の属する技術分野】
本発明は、例えば小切手を読み取る読取装置及び読取方法に関し、特に、印字ヘッドとＭＩＣＲヘッドとを備える複合処理装置に関する。
【０００２】
【従来の技術】
近年、店舗での買い物などの商取引では、小切手を用いて決済が行われることがある。このような小切手には、表面に口座番号等の情報が磁気インクなどによって印刷されている。
【０００３】
また、支払先や日付、金額等は、従来は手書きで書かれていたが、近年ではプリンタで印字されることも多くなっている。
【０００４】
上述したような小切手の読み取りと印字を行う装置として、印字ヘッドと、磁気情報を読み取るＭＩＣＲヘッドとを備える複合処理装置が提案されている。
【０００５】
【発明が解決しようとする課題】
ところで、小切手を用いて決済を行う場合、例えば免許証を用いて本人であることを確認する作業が一般に行われる。その際、免許証等の文書をコピーして保存しておくことが広く行われている。近年、このような認証用の書類を電子データとして使用したいという要望がある。
【０００６】
この場合、上述の複合処理装置にスキャナを組み込んで免許証等を読み取ることも考えられるが、このような装置は主として小切手等を処理するように構成されているため、そのままでは用紙のサイズや厚さ等の点などにおいて種々の問題がある。
【０００７】
本発明は、このような従来の技術の課題を解決するためになされたもので、種々のサイズや厚さの用紙に対して円滑に搬送して読み取り可能な読取装置、複合処理装置及び読取方法を提供することを目的とする。
【０００８】
【課題を解決するための手段】
上記目的を達成するためになされた本発明は、所定の読取対象物を読み取るスキャナヘッドと、前記スキャナヘッドの読取位置を通過し、前記読取対象物を搬送するための複数の搬送経路と、前記搬送経路を切り換える切換機構とを有することを特徴とする読取装置である。
【０００９】
この場合、本発明は、前記搬送経路が、所定の特殊用紙を搬送するための直線状に延びる特殊用紙搬送経路を有することも効果的である。
【００１０】
また、本発明は、前記特殊用紙搬送経路が、鉛直方向に延びるように構成されていることも効果的である。
【００１１】
さらに、本発明は、前記特殊用紙搬送経路の所定の位置に位置決め部が設けられていることも効果的である。
【００１２】
さらにまた、本発明は、前記特殊用紙搬送経路における前記特殊用紙の有無を検出する紙検出器を有することも効果的である。
【００１３】
一方、本発明は、前記読取対象物に印字をする印字ヘッドと、前記いずれかの読取装置とを有することを特徴とする複合処理装置である。
【００１４】
この場合、本発明は、前記読取対象物に付された磁気情報を読み取る磁気ヘッドを有することも効果的である。
【００１５】
他方、本発明は、前記いずれかの読取装置を用いて前記特殊用紙を読み取る読取方法であって、前記特殊用紙搬送経路における前記特殊用紙の有無を検出するステップと、前記特殊用紙を検出した場合に前記特殊用紙の内容を読み取るステップと、を有することを特徴とする読取方法である。
【００１６】
この場合、本発明は、前記特殊用紙を検出した場合に前記特殊用紙に印字するステップをさらに有することも効果的である。
【００１７】
本発明の読取装置は、スキャナヘッドの読取位置を通過し読取対象物を搬送するための複数の搬送経路を複数備え、切換機構によって搬送経路を切り換えるように構成したことから、異なる種類の読取対象物をそれぞれ個別に読み取ることが可能になる。
本発明の場合、搬送経路として直線状に延びる特殊用紙搬送経路を有していれば、搬送経路において屈曲する部分がないので、例えば免許証のように厚い紙からなる読取対象物をスキャナヘッドで読み取らせる場合であっても、紙ジャムは発生させず円滑に搬送することができる。
【００１８】
また、本発明において、特殊用紙搬送経路が鉛直方向に延びるように構成されていれば、特殊用紙を搬送することなく自由落下させて搬送経路に配置することができるので、読み取る際のシーケンスを簡素化することが可能になる。
【００１９】
さらに、本発明において、特殊用紙搬送経路の所定位置に位置決め部を設けるようにすれば、特殊用紙搬送経路に配置した特殊用紙をその位置決め部で支持することによって搬送の基準位置を定めることができ、これにより正確な搬送及び読み取りを行うことが可能となる。
【００２０】
さらにまた、本発明において、特殊用紙搬送経路に紙検出器を設け、特殊用紙を検出した場合にその内容を読み取るようにすれば、特殊用紙の読取開始時期を確定してそのタイミングを適切に設定することができ、これにより読取動作の迅速化かつ自動化を図ることが可能になる。
本発明の複合処理装置の場合、前述の読取装置に印字ヘッドを備え、特殊用紙を検出した場合に特殊用紙に印字するようにすれば、所望の読み取り及び印字を効率良く行うことが可能になる。
【００２１】
また、本発明においては、前述の読取装置に磁気ヘッドを備えることによって、読取対象物に付された磁気情報を読み取り、その結果に応じてスキャナヘッドにより所定の画像の読取を行うことも可能になる。
【００２２】
【発明の実施の形態】
以下、本発明の実施の形態を図面を参照して詳細に説明する。
【００２３】
図１は、本発明の実施の形態の複合処理装置を示す概略構成図である。
【００２４】
図１に示すように、本実施の形態の複合処理装置１は、その内部に複数の搬送経路として搬送経路１２と特殊用紙搬送経路１３とを有している。搬送経路１２及び特殊用紙搬送経路１３は後述するスキャナヘッド２の読取位置を通過するように構成されている。
【００２５】
搬送経路１２は、例えば小切手等のスリップ紙（読取対象物）を搬送するもので、側方から見てＬ字状に形成される。この搬送経路１２は、ガイド部材１８の紙挿入口１７側から、水平方向に延びる水平部１２ａと、この水平部１２ａから屈曲して紙挿入排出口１５まで鉛直方向に延びる鉛直部１２ｂとを有している。
【００２６】
ガイド部材１８は、搬送経路１２の上下に搬送経路１２と平行に設けられた上ガイド部１８ａと下ガイド部１８ｂとを有している。
【００２７】
ここで、上ガイド部１８ａは、搬送経路１２に沿って屈曲し、その垂直部１２ｂと平行に若干延びるように形成されている。下ガイド部１８ｂは、搬送経路１２の垂直部１２ｂの近傍まで延びるように形成されている。
【００２８】
なお、搬送経路１２及び特殊用紙搬送経路１３は、後述する紙経路切換機構（切換機構）９の近傍で合流するようになっている。
【００２９】
搬送経路１２の水平部１２ａの側部近傍には、小切手等に印刷された磁気情報を読み取るＭＩＣＲヘッド（磁気ヘッド）１１と、スリップ紙を搬送する紙送りローラ対１０とが、紙挿入口１７側から順に配設されている。
【００３０】
また、搬送経路１２の鉛直部１２ｂの側部近傍には、読取対象物の裏面に印字をする裏印字ヘッド６と、読取対象物を送る紙送りローラ対５と、読取対象物の表面に印字をする表印字ヘッド４と、スキャナ送りローラ３によって搬送される読取対象物を読み取るスキャナヘッド２とが配設されている。
【００３１】
一方、特殊用紙搬送経路１３は、例えば免許証等の厚手の特殊用紙（読取対象物）を搬送するもので、搬送経路１２の鉛直部１２ｂと平行に形成されている。そして、特殊用紙搬送経路１３は、鉛直方向に直線状に延び、スキャナヘッド２の読取位置を通過するように形成されている。
【００３２】
特殊用紙搬送経路１３の下端部の下方には、紙経路切換機構（切換機構）９が配置されている。紙経路切換機構９は、板状の部材からなる紙案内ストッパ部９ａを有している。
【００３３】
紙案内ストッパ部９ａは、搬送経路１２の外部に設けられた軸部９ｃを中心にして回動自在に支持されている。
【００３４】
紙案内ストッパ部９ａの先端部は、搬送経路１２に挿入され、搬送経路１２と鋭角をなすように交差して配置されている。
【００３５】
一方、紙案内ストッパ部９ａの後端部には、引張りコイルばね９ｂのフック９０が係止され、これにより紙案内ストッパ部９ａの先端部が上ガイド部１８ａの内側面１８ｃに付勢され内側面１８ｃとの間に隙間が生じないようになっている。
【００３６】
ガイド部材１８の下ガイド部１８ｂの先端部には、水平方向に延びる位置決め部８が形成されている。
【００３７】
この位置決め部８は板状に形成され、その上部には、水平面からなる位置決め面８ａが設けられている。
【００３８】
位置決め面８ａの上方近傍には、紙検出器９が設けられている。紙検出器９は、特殊用紙搬送経路１３における特殊用紙の有無を検出するもので、例えば反射型の光センサを用いて構成されている。なお、本実施の形態においては、例えば紙案内ストッパ部９ａによって光を遮ることにより、搬送経路１２上の読取対象物を検出しないように構成されている。
【００３９】
図２は、本実施の形態の複合処理装置の制御系の主要部を示すブロック図である。
【００４０】
図２に示すように、本実施の形態のスキャナヘッド２及び紙検出器７は、それぞれＣＰＵ２０に接続され、ＣＰＵ２０からの命令により所定の動作を行うようになっている。
【００４１】
また、スキャナ送りローラ３及び紙送りローラ対５、１０を駆動するモータ２１もまたＣＰＵ２０に接続され、ＣＰＵ２０からの命令によりその動作が制御される。
【００４２】
図３は、本実施の形態の複合処理装置を用いて行う処理の一例を示すフローチャートである。
【００４３】
図３に示すように、本実施の形態の複合処理装置１において、特殊用紙処理モードに入ると、ステップＳ１において、特殊用紙を検出する状態である用紙情報待ちの状態になる。
【００４４】
そして、この状態で、免許証等の特殊用紙を人手で紙挿入排出口１５から挿入する。これにより特殊用紙は鉛直下方に落下し、特殊用紙搬送経路１３を通り紙検出器７の近傍を通過して位置決め面８ａによって支持される。
【００４５】
この場合、紙案内ストッパ部９ａの先端部が上ガイド部１８ａの内側面１８ｃに付勢され内側面１８ｃとの間に隙間が生じないようになっているので、特殊用紙が搬送経路１２の水平部１２ａ内に侵入することはない。
【００４６】
ステップＳ２では、紙検出器７からの信号によって特殊用紙の有無を検出し、紙有りと判断した場合には、ＣＰＵ２０からの命令に基づいて、特殊用紙を紙送りローラ対５で挟んだ状態で回転させて鉛直上方に搬送する。
【００４７】
ステップＳ３では、ＣＰＵ２０からの命令によって例えば表印字ヘッド４を駆動して特殊用紙に印字を行う。
その後、特殊用紙をスキャナヘッド２の読取位置まで搬送し、ステップＳ４において、ＣＰＵ２０からの命令に基づいて特殊用紙をスキャナ送りローラ３によりスキャナヘッド２に押し付けて上方に搬送しつつ所定のタイミングでスキャナヘッド２を駆動して特殊用紙の表面の内容を読み取る。
【００４８】
さらに、ステップＳ５では、紙挿入排出口１５から特殊用紙を排出し、これにより特殊用紙に対する処理を終了する。
【００４９】
本実施の形態の複合処理装置１を用いて小切手等のスリップ紙の処理を行う動作について説明する。
【００５０】
図４は、本実施の形態の複合処理装置を用いて行う処理の他の例を示すフローチャートである。
【００５１】
上述した複合処理装置１において、紙挿入口１７から人手で例えば小切手を挿入すると、ステップＳ１１において、ＣＰＵ２０からの命令に基づいて紙送りローラ１０を回転させて小切手を挟んで搬送し、ＭＩＣＲヘッド１１によって小切手に印刷された磁気情報を読み取る。
【００５２】
小切手の先端部が紙案内ストッパ部９ａの位置に到達すると、小切手による付勢力によって紙案内ストッパ部９ａが押圧され、これにより紙案内ストッパ部９ａの先端部と上ガイド部１８ａの内側面１８ｃとの間に隙間が形成され、この隙間を通って小切手が搬送経路１２の鉛直部１２ｂに沿って鉛直上方に搬送される。
【００５３】
ステップＳ１２では、ＣＰＵ２０からの命令に基づき、紙送りローラ対５によって小切手を挟んだ状態で回転させて上方に搬送しつつ、例えば、裏印字ヘッド６を駆動して小切手の裏面に印字を行う。
【００５４】
次いで、ステップＳ１３において、例えば表印字ヘッド４を駆動して小切手の表面に印字をする。
【００５５】
ステップＳ１４では、ＣＰＵ２０から命令に基づき、スキャナ送りローラ３によって、小切手をスキャナヘッド２に押し付けて上方に搬送しつつ、スキャナヘッド２を駆動して、小切手の表面に記載された所定の事項をディジタル画像として読み取る。
【００５６】
その後、ステップＳ１５において、紙挿入排出口１５から小切手を排出し、これにより小切手に対する処理を終了する。
【００５７】
以上述べたように本実施の形態によれば、スキャナヘッド２の読取位置を通過し読取対象物を搬送するための二つの搬送経路１２、特殊用紙搬送経路１３を備え、紙経路切換機構９によってこれらを切り換えるように構成したことから、異なる種類の読取対象物をそれぞれ個別に読み取ることができる。
特に、本実施の形態の場合は、屈曲する部分のない直線状に延びる特殊用紙搬送経路１３を有しているので、例えば免許証のように厚い紙からなる特殊用紙をスキャナヘッド２で読み取らせる場合であっても、紙ジャムを発生させず円滑に搬送することができる。
【００５８】
また、特殊用紙搬送経路１３は、鉛直方向に延びるように構成されているので、特殊用紙を搬送することなく自由落下させて当該搬送経路上に配置することができ、これにより簡素なシーケンスで読み取りを行うことができる。
さらに、特殊用紙搬送経路１３に位置決め部８が設けられているので、特殊用紙搬送経路１３に配置した特殊用紙をその位置決め面８ａで支持することによって搬送の基準位置を定めることができ、これにより正確な搬送及び読み取りを行うことができる。
【００５９】
さらにまた、本実施の形態においては、特殊用紙搬送経路１３に紙検出器７が設けられていることから、特殊用紙の読取開始時期を確定してそのタイミングを適切に設定することができ、これにより読取動作の迅速化かつ自動化を図ることができる。
さらにまた、本実施の形態の複合処理装置１は、特殊用紙搬送経路１３の側部近傍に表印字ヘッド４及び裏印字ヘッド６を備えていることから、検出した特殊用紙の両面に所望の印字を効率良く行うことができる。
【００６０】
加えて、本実施の形態の複合処理装置１は、小切手に付された磁気情報をＭＩＣＲヘッド１１によって読み取り、その結果に応じてスキャナヘッド２により所定の画像の読取を行うことができるものである。
なお、本発明は上述の実施の形態に限られることなく、種々の変更を行うことができる。
【００６１】
例えば、上述の実施の形態においては、特殊用紙搬送経路を鉛直方向に延びるように構成したが、本発明はこれに限られず、例えば鉛直方向から所定の角度傾斜させることも可能であり、また、水平方向に延びるように構成することも可能である。
【００６２】
また、上述の実施の形態においては、小切手等のスリップ紙と免許証等の特殊用紙用の二つの搬送経路を設けるようにしたが、三つ以上の搬送経路を設けることも可能である。
【００６３】
さらに、上述の実施の形態においては、特殊用紙を自由落下によって特殊用紙搬送経路内に挿入するようにしたが、スキャナヘッドとスキャナローラによって特殊用紙を挟みスキャナローラの回転によって経路内に挿入するように構成することも可能である。
【００６４】
さらにまた、上述の実施の形態においては、ばねを用いて紙案内ストッパ部を上ガイド部の内側面に付勢し、スリップ紙の弾性力によって搬送経路を切り換えるようにしたが、例えばソレノイドによって紙案内ストッパ部を駆動して搬送経路を切り換えることも可能である。
【００６５】
ただし、構成を簡素にする観点からは、上記実施の形態のように構成することが好ましい。
【００６６】
さらにまた、本発明は、免許証等のＩＤカードは勿論、それ以外の種々の用紙に対しても適用することができるものである。
【００６７】
【発明の効果】
以上述べたように、本発明の読取装置によれば、スキャナヘッドの読取位置を通過し読取対象物を搬送するための複数の搬送経路を複数備え、紙経路切換機構によって搬送経路を切り換えるように構成したことから、異なる種類の読取対象物をそれぞれ個別に読み取ることができる。
また、本発明においては、搬送経路として直線状に延びる特殊用紙搬送経路を有することにより、例えば免許証のように厚い紙からなる読取対象物をスキャナヘッドで読み取らせる場合であっても、紙ジャムは発生させず円滑に搬送することができる。
【００６８】
さらに、本発明においては、特殊用紙搬送経路が鉛直方向に延びるように構成することにより、特殊用紙を搬送することなく自由落下させて搬送経路に配置することができるので、読み取る際のシーケンスを簡素化することができる。
さらにまた、本発明においては、特殊用紙搬送経路の所定位置に位置決め部を設けることにより、正確な搬送及び読み取りを行うことが可能になる。
【００６９】
さらにまた、本発明においては、特殊用紙搬送経路に紙検出器を設け、特殊用紙を検出した場合にその内容を読み取ることにより、読取動作の迅速化かつ自動化を図ることが可能になる。
一方、本発明の複合処理装置の場合、本発明の読取装置に印字ヘッドを備え、特殊用紙を検出した場合に特殊用紙に印字するように構成することによって、所望の読み取り及び印字を効率良く行うことができる。
【００７０】
また、本発明においては、本発明の読取装置に磁気ヘッドを備えることによって、読取対象物に付された磁気情報を読み取り、その結果に応じてスキャナヘッドにより所定の画像の読取を行うことも可能になる。
【図面の簡単な説明】
【図１】本発明の実施の形態の複合処理装置を示す概略構成図である。
【図２】同複合処理装置の制御系の主要部を示すブロック図である。
【図３】同複合処理装置を用いて行う処理の一例を示すフローチャートである。
【図４】同複合処理装置を用いて行う処理の他の例を示すフローチャートである。
【符号の説明】
１　　　複合処理装置
２　　　スキャナヘッド
３　　　スキャナ送りローラ
４　　　　表印字ヘッド
５　　　紙送りローラ
６　　　裏印字ヘッド
７　　　紙検出器
８　　　位置決め部
８ａ　　位置決め面
９　　　紙経路切換機構（切換機構）
９ａ　紙案内ストッパ
９ｂ　ばね部
９ｃ　軸部
１０　　紙送りローラ
１１　　ＭＩＣＲヘッド（磁気ヘッド）
１２　　搬送経路
１２ａ　水平部
１２ｂ　鉛直部
１３　　特殊用紙搬送経路
１５　　紙挿入排出口
１７　　紙挿入口
１８　　ガイド部材
１８ａ　上ガイド部
１８ｂ　下ガイド部
２０　　ＣＰＵ
２１　　モータ
【図１】
2004064432.tif 000003
【図２】
2004064432.tif 000004
【図３】
2004064432.tif 000005
【図４】
2004064432.tif 000006